(57)【要約】【課題】証券発注の判断の基となる市況情報を提示する板画面を、ユーザ毎にカスタマイズさせ、板画面をより見やすい画面にて提示するための証券発注サーバ及び証券発注プログラムを提供する。【解決手段】証券発注サーバ１は、ＣＰＵ１６、市況情報記憶手段１７、ユーザ条件記憶手段１８、分析情報記憶手段１９及び証券発注情報記憶手段２０等を備え、ＣＰＵ１６は、ユーザ条件を設定するユーザ条件設定手段１６ａ、市況情報記憶手段１７を管理する市況情報管理手段１６ｂ、新たな市況情報を分析する市況情報分析手段１６ｃ、分析された銘柄の板情報を作成する板情報作成手段１６ｄ、板画面を切替表示する板画面提示手段１６ｅ及び証券発注手段１６ｆ等を備える。【選択図】    図２
2009289181.tif 000002
【特許請求の範囲】
【請求項１】
外部より受信する複数の株銘柄毎の情報を表す市況情報をクライアント端末に提供し、前記クライアント端末から要求される証券売買の発注処理を行う証券発注サーバであって、
前記クライアント端末に提示する前記株銘柄を抽出するためのユーザ条件を格納するユーザ条件記憶手段と、
前記ユーザ条件記憶手段に格納される前記ユーザ条件に一致する前記株銘柄を前記市況情報より抽出する市況情報分析手段と、
抽出された前記ユーザ条件に一致する前記株銘柄を、前記証券売買の指値数量を表す板画面上に提示するための板情報を作成する板情報作成手段と、
前記板情報を基に作成される前記板画面を、前記クライアント端末の表示装置上に表示させる板画面提示手段
とを備え、
前記ユーザ条件に一致する前記株銘柄が複数存在する場合、前記板画面提示手段は複数の前記株銘柄に対応する複数の前記板画面を、前記クライアント端末の表示装置上の固定位置に所定の時間間隔毎に切替表示する
ことを特徴とする証券発注サーバ。
【請求項２】
前記板画面は、前記証券売買の発注処理を行う画面と共に、前記クライアント端末の表示装置上に提示される
ことを特徴とする請求項１に記載の証券発注サーバ。
【請求項３】
外部より受信する複数の株銘柄毎の情報を表す市況情報をクライアント端末に提供し、前記クライアント端末から要求される証券売買の発注処理を行うコンピュータに、
ユーザ条件記憶手段に前記クライアント端末に提示する前記株銘柄を抽出するためのユーザ条件を格納する命令と、
前記ユーザ条件記憶手段に格納される前記ユーザ条件に一致する前記株銘柄を前記市況情報より抽出する命令と、
抽出された前記ユーザ条件に一致する前記株銘柄を、前記証券売買の指値数量を表す板画面上に提示するための板情報を作成する命令と、
前記板情報を基に作成される前記板画面を、前記クライアント端末の表示装置上に表示させる命令
とを実行させ、
前記表示する命令は、前記ユーザ条件に一致する前記株銘柄が複数存在する場合、複数の前記株銘柄に対応する複数の前記板画面を、前記クライアント端末の表示装置上の固定位置に所定の時間間隔毎に切替表示する命令を含む
ことを特徴とする証券発注プログラム。
【請求項４】
前記表示する命令は、前記板画面を前記証券売買の発注処理を行う画面と共に前記クライアント端末の表示装置上に提示する命令を含む
ことを特徴とする請求項３に記載の証券発注プログラム。
【発明の詳細な説明】
【技術分野】
【０００１】
本発明は、ユーザ等に端末を介して証券を発注させるシステムにおいて、発注の判断の基となる市況情報を板情報として提示する画面を、ユーザ毎にカスタマイズさせ、板情報をより見やすい画面にて提示するための証券発注サーバ及び証券発注プログラムに関する。
【背景技術】
【０００２】
近年、証券取引の殆どは専用回線、インターネット等を介した電子取引において行われている。ディーラやデイトレーダ等の一日に何度も証券取引を行う者にとっては、売買決定の一要素として、銘柄の価格変動を瞬時に把握することは重要である。このため、従来技術においては、証券取引の発注処理において、銘柄情報（始値、高値、安値、現在値、前日比等）の値をユーザのクライアント端末等に提示し、ユーザに売買決定を促す手法が取られていた（特許文献１、特許文献２参照）。
【特許文献１】特開２００７−２０６９０８号公報
【特許文献２】特開平５−２７７００号公報
【発明の開示】
【発明が解決しようとする課題】
【０００３】
しかしながら、特許文献１及び特許文献２では、銘柄情報として値（文字）のみが表示されており、この表示方法では複数銘柄を同時に監視する等の際に、各銘柄の見分けがつきにくく効率が悪かった。ディーラやディトレーダ等の一日に何回も証券の売買発注を行うユーザは、板画面に表示される情報を基に売り圧力・買い圧力を短時間で判断し、発注を行う傾向があるが、特許文献１及び特許文献２には、複数の板画面を短時間で閲覧できる画面を備えておらず、又、この板画面から証券の売買発注を行うことができなかった。
【０００４】
本発明は、上記の問題点を解決する為になされたものであり、板画面の表示条件をユーザに設定させ、この表示条件に従って最新の市況情報を基に作成される多量の板画面を短時間で閲覧可能なように提示することができる証券発注サーバ及び証券発注プログラムを提供することを目的とする。
【課題を解決するための手段】
【０００５】
上記問題点を解決する為、本発明の第１の特徴は、（イ）外部より受信する複数の株銘柄毎の情報を表す市況情報をクライアント端末に提供し、クライアント端末から要求される証券売買の発注処理を行う証券発注サーバであって、クライアント端末に提示する株銘柄を抽出するためのユーザ条件を格納するユーザ条件記憶手段と、（ロ）ユーザ条件記憶手段に格納されるユーザ条件に一致する株銘柄を市況情報より抽出する市況情報分析手段と、（ハ）抽出されたユーザ条件に一致する株銘柄を、証券売買の指値数量を表す板画面上に提示するための板情報を作成する板情報作成手段と、（ニ）板情報を基に作成される板画面を、クライアント端末の表示装置上に表示させる板画面提示手段とを備え、（ホ）ユーザ条件に一致する株銘柄が複数存在する場合、板画面提示手段は複数の株銘柄に対応する複数の板画面を、クライアント端末の表示装置上の固定位置に所定の時間間隔毎に切替表示する証券発注サーバであることを要旨とする。
【０００６】
本発明の第１の特徴は、更に、（ヘ）板画面は、証券売買の発注処理を行う画面と共に、クライアント端末の表示装置上に提示されることを加えても良い。
【０００７】
本発明の第２の特徴は、（イ）外部より受信する複数の株銘柄毎の情報を表す市況情報をクライアント端末に提供し、クライアント端末から要求される証券売買の発注処理を行うコンピュータに、ユーザ条件記憶手段にクライアント端末に提示する株銘柄を抽出するためのユーザ条件を格納する命令と、（ロ）ユーザ条件記憶手段に格納されるユーザ条件に一致する株銘柄を市況情報より抽出する命令と、（ハ）抽出されたユーザ条件に一致する株銘柄を、証券売買の指値数量を表す板画面上に提示するための板情報を作成する命令と、（ニ）板情報を基に作成される板画面を、クライアント端末の表示装置上に表示させる命令とを実行させ、（ホ）表示する命令は、ユーザ条件に一致する株銘柄が複数存在する場合、複数の株銘柄に対応する複数の板画面を、クライアント端末の表示装置上の固定位置に所定の時間間隔毎に切替表示する命令を含む証券発注プログラムであることを要旨とする。
【発明の効果】
【０００８】
本発明の証券発注サーバ及び証券発注プログラムによると、従来の値だけの表示に加え、板画面を画面上の固定箇所に複数枚切り替え表示させることができ、表示する銘柄の指定、指定銘柄の価格変動状態等はユーザが自由にカスタマイズすることができる。又、この板画面は証券売買発注ボタン等を備えており、この板画面上より直接発注処理が行える為、ユーザは非常に短時間で証券売買判断・発注の処理を行うことができる。
【発明を実施するための最良の形態】
【０００９】
次に、図面を参照して、本発明の実施の形態を説明する。以下の図面の記載において、同一又は類似の部分には同一又は類似の符号を付している。ただし、図面は模式的なものであることに留意すべきである。
【００１０】
（実施の形態）
（証券発注システム）
本発明の実施の形態に係る証券発注システム１００は、図１に示すように、証券発注サーバ１と、クライアント端末２ａ，２ｂ，２ｃと、Ａ証券取引所システム３と、Ｂ証券取引所システム４と、Ｃ証券取引所システム５と、市況情報配信サーバ６等を備えている。
【００１１】
クライアント端末２ａ〜２ｃは、ディーラやディトレーダ等のユーザが、証券の売買等を行う際に、証券発注サーバ１へのアクセスに使用する端末である。クライアント端末２ａ〜２ｃは、専用端末、携帯用パーソナルコンピュータ等の通信機器を指し、入力処理用のキーボード等、株銘柄データを表示するための表示画面をそなえ、専用回線や公衆通信回線上にて証券発注サーバ１と接続可能となっている。
【００１２】
Ａ証券取引所システム３，Ｂ証券取引所システム４及びＣ証券取引所システム５は、東京証券取引所、大阪証券取引所、名古屋証券取引所等の各証券取引所で行われている実際の証券取引情報を配信するシステムである。
【００１３】
市況情報配信サーバ６は、これらＡ証券取引所システム３，Ｂ証券取引所システム４及びＣ証券取引所システム５から配信される各銘柄の始値、終値、高値及び安値等を市況情報として、証券発注サーバ１に配信する。尚、市況情報配信の間隔は数秒毎等の短いほうが好ましい。
【００１４】
証券発注サーバ１は、市況情報配信サーバ６から送信される市況情報をクライアント端末２ａ〜２ｃに提供し、提示させる。又、クライアント端末２ａ〜２ｃからの証券取引要求を受け付け、Ａ証券取引所システム３，Ｂ証券取引所システム４及びＣ証券取引所システム５へ対する証券発注処理等を行う。以下、証券発注サーバ１について詳細に説明する。
【００１５】
（証券発注サーバ）
証券発注サーバ１は、図２に示すように、入力装置１１、出力装置１２、通信制御装置１３、主記憶装置１４、一時記憶装置１５、処理制御装置（以下、「ＣＰＵ」と記載する）１６、市況情報記憶手段１７、ユーザ条件記憶手段１８、分析情報記憶手段１９及び証券発注情報記憶手段２０等を備えている。
【００１６】
市況情報記憶手段１７は、市況情報配信サーバ６から配信される各銘柄の始値、終値、高値及び安値等を含む市況情報を格納する。
【００１７】
ユーザ条件記憶手段１８は、板画面に表示するユーザ条件を格納する。ユーザ条件のデータ項目としては、例えば図３に示すように、ユーザＩＤ、条件１、条件２、条件３等を備えている。条件１としては、例えば、出来高ランキング、値上がりランキング、値下がりランキング等の銘柄を整列させるための順位の種類を設定する。条件２としては、例えば、ランキング上位三位まで表示する等の表示範囲を設定する。条件３としては、例えば、区分指定を東京、大阪、名古屋等の証券取引所別に指定したり、株銘柄の業種コード毎に指定したりする。尚、ユーザ条件はこれらのものに限られず、ユーザに新たなユーザ条件を設定させたり、条件数を増減したりしても構わない。
【００１８】
分析情報記憶手段１９は、市況情報分析手段１６ｃが市況情報記憶手段１７に格納される市況情報を分析した結果である分析情報を格納する。
【００１９】
証券発注情報記憶手段２０は、証券取引に関わる情報、例えば証券発注において使用するデータ、画面等を格納する。
【００２０】
ＣＰＵ１６は、ユーザ条件設定手段１６ａ、市況情報管理手段１６ｂ、市況情報分析手段１６ｃ、板情報作成手段１６ｄ、板画面提示手段１６ｅ及び証券発注手段１６ｆ等を備えている。ＣＰＵ１６はこれらの手段を適宜演算処理する。
【００２１】
ユーザ条件設定手段１６ａは、クライアント端末２ａ〜２ｃに対して図示しないユーザ条件設定画面等を提示してユーザ条件の設定を促し、ユーザ条件設定画面に入力されたユーザ条件を取得してユーザ条件記憶手段１８に格納する。
【００２２】
市況情報管理手段１６ｂは市況情報配信サーバ６から配信される市況情報を市況情報記憶手段１７に格納し、その管理を行う。
【００２３】
市況情報分析手段１６ｃは、市況情報記憶手段１７に格納される市況情報を分析する。分析は、ユーザ条件記憶手段１８に格納されるユーザ条件を基に行われる。例えば、ユーザ条件が「東証」株の「出来高ランキング」の「上位三位」までを表示させる、だとすると、市況情報分析手段１６ｃは、市況情報記憶手段１７よりこの条件に合った銘柄を分析し、抽出する。尚、市況情報の分析処理は所定の時間間隔、例えば３分毎等に随時行われる。分析結果は分析情報記憶手段１９に格納される。
【００２４】
板情報作成手段１６ｄは、分析情報記憶手段１９に格納されたユーザ条件に一致した銘柄を、板画面として提示する為の板情報を配信された市況情報を基に作成する。板情報としては、例えばその銘柄の指値、指値売り数、指値買い数、前日比、安値、高値等が含まれる。
【００２５】
板画面提示手段１６ｅは、板情報作成手段１６ｄが作成する板情報を基に、クライアント端末２ａ〜２ｃディスプレイ上に板画面を切り替え表示する。板画面は、例えば図４に示すようにユーザに提示される。尚、板画面を閲覧しながら証券発注が可能なように、板画面には図４左に示すような証券発注処理のため、「売買」「価格」「数量」「信用取引」「空売り」「執行条件」等の発注条件入力ボックスや、「発注」のボタン等が備えられている。証券発注処理のためのボタン等は図５（ｂ）に示すように板画面と分離して表示してもよく、図５（ａ）に示す板画面と同一のスクリーン上に同時に表示することができればよいものとする。
【００２６】
証券発注手段１６ｆは、板画面等を基にしてユーザがある株銘柄の売買発注をする場合等に、証券発注情報記憶手段２０に格納される証券取引に関わる情報、例えば証券発注において使用するデータ、画面等を取得したり、株銘柄の売買発注が依頼されたかを判断して証券の発注処理を行う。
【００２７】
入力装置１１は、キーボード、マウス等から入力信号を受信するインタフェースである。出力装置１２は、処理結果等を出力するための装置であり、具体的には液晶ディスプレイ、ＣＲＴディスプレイ、プリンタ等を指す。フロッピー（登録商標）ディスク、ハードディスク等の外部記憶装置を介して入力されても良い。通信制御装置１３は、市況情報配信サーバ６及びクライアント端末２ａ〜２ｃ等の他装置との間にてデータを送受信する為の制御信号を生成する。主記憶装置１４は、主メモリとして、ＣＰＵ１６内の各手段等の処理の手順を記述したプログラムや処理されるべきデータを一時的に記憶し、ＣＰＵ１６の要請に従ってプログラムの機械命令やデータを引き渡す。また、ＣＰＵ１６で処理されたデータは主記憶装置１４に書き込まれる。主記憶装置１４とＣＰＵ１６はアドレスバス、データバス、制御信号等で結ばれている。一時記憶装置１５は、ＣＰＵ１６による演算の際に使用される作業用記憶領域である。
【００２８】
尚、本発明の実施の形態においては、証券発注サーバ１が図２の全ての記憶手段及びＣＰＵ１６内のプログラムを備え、クライアント端末２ａ〜２ｃに対して提示するように設計されているが、これはクライアント端末２ａ〜２ｃに備えてあっても構わない。例えば、証券発注システム１００起動時に、証券発注サーバ１が、クライアント端末２ａ〜２ｃに全ての記憶手段及びプログラムをインストールするように指示し、全ての記憶手段及びプログラムはクライアント端末２ａ〜２ｃにて動作するようにする。この際、証券発注サーバ１は適宜市況情報を配信したり、適時必要なプログラムを再インストールするよう指示したりするのみにして構わない。
【００２９】
（証券発注システムの動作）
以下、証券発注サーバ１の動作について図６のフローチャートを参照して説明する。尚、以下の動作の前提として、ユーザがクライアント端末２ａ〜２ｃ等を介して設定するユーザ条件はユーザ条件設定手段１６ａによりユーザ条件記憶手段１８に格納されているものとする。
【００３０】
（ａ）まず、ステップＳ１０１において、図２の市況情報管理手段１６ｂが市況情報配信サーバ６から配信される市況情報を取得し、市況情報記憶手段１７に格納する。ステップＳ１０２において、市況情報分析手段１６ｃは、市況情報記憶手段１７に格納される新たな市況情報を取得する。市況情報分析手段１６ｃは、ユーザ条件記憶手段１８に格納されるユーザ条件を基に新たな市況情報を分析する。例えば、ユーザ条件が「金融」株の「値上がりランキング」の「上位三位」までを表示させる、だとすると、市況情報分析手段１６ｃは、市況情報記憶手段１７よりこの条件に合った銘柄を分析し、抽出する。抽出された銘柄の情報は分析情報記憶手段１９に例えば図７（ａ）のような状態で格納される。尚、市況情報の分析処理は所定の時間間隔、例えば５分毎等に随時行われる（図７（ｂ）参照）。板情報作成手段１６ｄは、ユーザ条件に合致する銘柄を板画面として提示する為の情報、例えば指値、指値売り数、指値買い数、前日比、安値、高値等の板情報を作成する。
【００３１】
（ｂ）ステップＳ１０３において、板画面提示手段１６ｅは、板情報作成手段１６ｈが作成する板情報等を基に、ユーザに提示する板画面をユーザ条件にて抽出された銘柄数作成し、これらの画面（図４及び５参照）を所定間隔にて、クライアント端末２ａ〜２ｃの表示装置上にて切り替え表示する。例えば、「上位三位」までの抽出であると上位三位の３銘柄Ａ、Ｂ及びＣの板画面が、図７（ｃ）に示すように、クライアント端末２ａ〜２ｃのディスプレイ上にて切り替え表示されるように制御する。この切り替え表示される板画面は、所定間隔にて行われる新たな市況情報の取得及び分析処理に要する時間の経過毎に更新される。新たな市況情報の取得・分析に要する時間が経過するまでの間は、前回分析された板画面が周期的に切り替え表示される。例えば５分（３００秒）毎に市況情報が更新される場合、上位３銘柄の板画面が、例えば１０秒毎に切替表示されるよう設定されているとすると、上位３銘柄は１０周（１０回）表示されることとなる。新たな市況情報の取得及び分析が終了すると、新たなランキングの株銘柄の板画面、例えば図７（ｃ）に示すように、株銘柄Ｅ、Ｃ及びＡの板画面が切替表示される。
【００３２】
（ｃ）ステップＳ１０４において、新たな市況情報の取得及び分析処理に要する時間、例えば５分が経過したか否かを市況情報分析手段１６ｃが判断し、所定時間経過したならば、上述したようにステップＳ１０１で新たな市況情報を取得する。所定時間が経過していなければステップＳ１０５に進み、証券発注手段１６ｆがクライアント端末２ａ〜２ｃに提示された板画面（図４及び５）よりある株銘柄の売買発注が依頼されたかを判断する。発注依頼されたと判断されると、ステップＳ１０６において、証券発注手段１６ｆが、入力された発注依頼の情報と、証券発注情報記憶手段２０に格納される発注の為の情報を基に、証券売買の発注処理を行う。最後にステップＳ１０７において、図２の入力装置又はクライアント端末２ａ〜２ｃ等より証券発注サーバ１の処理の終了が要求されると、証券発注サーバ１による処理は停止される。
【００３３】
このように本発明の実施の形態に係る証券発注サーバ１及び証券発注プログラムによると、従来の値だけの表示に加え、板画面を画面上の固定箇所に複数枚切り替え表示させることができ、表示する銘柄の指定、指定銘柄の価格変動状態等はユーザが自由にカスタマイズすることができる。又、この板画面は証券売買発注ボタン等を備えており、この板画面上より直接発注処理が行える為、ユーザは非常に短時間で証券売買判断・発注の処理を行うことができる。
【図面の簡単な説明】
【００３４】
【図１】本発明の実施の形態に係る証券発注システムの構造を示すシステム図である。
【図２】証券発注サーバの内部構造を示す構造図である。
【図３】ユーザ条件記憶手段内のユーザ条件を示す表図である。
【図４】発注画面を備える板画面を示す画面図である。
【図５】板画面及び発注画面を示す画面図である。
【図６】証券発注サーバの動作を示すフロー図である。
【図７】板画面の表示動作を示す模式図である。
【符号の説明】
【００３５】
１…証券発注サーバ
２ａ，２ｂ，２ｃ…クライアント端末
３…Ａ証券取引所システム
４…Ｂ証券取引所システム
５…Ｃ証券取引所システム
６…市況情報配信サーバ
１１…入力装置
１２…出力装置
１３…通信制御装置
１４…主記憶装置
１５…一時記憶装置
１６…ＣＰＵ
１６ａ…ユーザ条件設定手段
１６ｂ…市況情報管理手段
１６ｃ…市況情報分析手段
１６ｄ…板情報作成手段
１６ｅ…板画面提示手段
１６ｆ…証券発注手段
１７…市況情報記憶手段
１８…ユーザ条件記憶手段
１９…分析情報記憶手段
２０…証券発注情報記憶手段
１００…証券発注システム
【図１】
2009289181.tif 000003
【図２】
2009289181.tif 000004
【図３】
2009289181.tif 000005
【図４】
2009289181.tif 000006
【図５】
2009289181.tif 000007
【図６】
2009289181.tif 000008
【図７】
2009289181.tif 000009